(57)【要約】【課題】キッチンにおける加熱調理器の設置位置に因らず、主電源ボタンの操作性に優れた加熱調理器を提供する。【解決手段】加熱調理器は、調理容器を載置するトッププレートと、トッププレートを上面に有する本体と、本体の内部に収容された複数の加熱源と、トッププレートにおいて複数の加熱源と対向する複数の加熱部と、本体の上面に設けられ、主電源のオン又はオフを操作する主電源ボタンとを備える。主電源ボタンは、複数の加熱部のうち前後方向で最前に位置する加熱部よりも前方で、且つ、複数の加熱部のうち左右方向の両端に位置する各加熱部の各々の左右方向の中心線の間に配置されている。【選択図】図３
2018017435.tif 000002
【特許請求の範囲】
【請求項１】
調理容器を載置するトッププレートと、
前記トッププレートを上面に有する本体と、
前記本体の内部に収容された複数の加熱源と、
前記トッププレートにおいて前記複数の加熱源と対向する複数の加熱部と、
前記本体の上面に設けられ、主電源のオン又はオフを操作する主電源ボタンとを備え、
前記主電源ボタンは、前記複数の加熱部のうち前後方向で最前に位置する加熱部よりも前方で、且つ、前記複数の加熱部のうち左右方向の両端に位置する各加熱部の各々の左右方向の中心線の間に配置されている加熱調理器。
【請求項２】
前記主電源ボタンは、前記本体の左右方向の中心部に配置されている請求項１記載の加熱調理器。
【請求項３】
前記複数の加熱源の各々の中心から離れて温度上の安全が確保される境界を示す環状の境界線が、前記複数の加熱源の各々について予め設定され、前記主電源ボタンは、複数の前記境界線で囲まれる領域を一つの集合領域として見たときに、前記集合領域の外周線上又は外周線よりも外側に配置されている請求項１又は請求項２記載の加熱調理器。
【請求項４】
前記主電源ボタンは、前記複数の加熱部のうち少なくとも２つの加熱部の各々の前記境界線が交差する位置に配置されている請求項３記載の加熱調理器。
【請求項５】
前記主電源ボタンは、前記複数の加熱部うち少なくとも２つの加熱部の各々の中心からの距離が同じ位置に配置されている請求項１〜請求項３の何れか一項に記載の加熱調理器。
【請求項６】
前記本体の上面に前記複数の加熱源の各々に対応して手前側に設けられ、前記加熱源の加熱操作の入力を行う複数の操作部を備え、
前記主電源ボタンは前記複数の加熱部のうち少なくとも２つの加熱部の各々に対応する各操作部間に配置されている請求項１〜請求項３の何れか一項に記載の加熱調理器。
【請求項７】
前記本体の上面に前記複数の加熱源の各々に対応して手前側に設けられ、前記加熱源の加熱操作の入力を行う複数の操作部を備え、
前記主電源ボタンは、前記２つの加熱部の各々の中心からの距離が同じ位置で、且つ、前記２つの加熱部の各々に対応する各操作部間に配置されている請求項４記載の加熱調理器。
【請求項８】
前記主電源ボタンは、前記各操作部間の領域の左右方向の中心に配置されている請求項６又は請求項７記載の加熱調理器。
【請求項９】
前記操作部は、対応の前記加熱部の左右方向の中心線が前記操作部の幅内に位置するように設置されている請求項６〜請求項８の何れか一項に記載の加熱調理器。
【請求項１０】
前記操作部は、対応の前記加熱源の電源をオン又はオフする入切ボタンを有し、前記加熱部の左右方向の中心線が前記入切ボタンの幅内に位置するように設置されている請求項６〜請求項９の何れか一項に記載の加熱調理器。
【請求項１１】
前記主電源ボタンの周囲に、前記トッププレートが高温であることを報知する高温報知表示部が設けられている請求項１〜請求項１０の何れか一項に記載の加熱調理器。
【発明の詳細な説明】
【技術分野】
【０００１】
本発明は、キッチンに設置される加熱調理器に関する。
【背景技術】
【０００２】
従来より、キッチンに設置される加熱調理器では、主電源ボタンが本体前面の右側又はトッププレートの上面操作部の右側に配置されている（例えば、特許文献１、特許文献２参照）。
【先行技術文献】
【特許文献】
【０００３】
【特許文献１】特許第５４２３２０２号公報
【特許文献２】特開２０１２−２２９９６号公報
【発明の概要】
【発明が解決しようとする課題】
【０００４】
現存するキッチンでは、加熱調理器がキッチン全体に対して右側に設置された構成と左側に設置された構成とが知られている。このうち、加熱調理器がキッチンの左側に設置されたシステムキッチンでは、特許文献１及び特許文献２のように主電源ボタンが右側にあることで、シンク及びキッチン作業場から主電源ボタンまでの位置が近く、操作しやすい。
【０００５】
しかしながら、加熱調理器がキッチンの右側に設置されたシステムキッチンでは、主電源ボタンが右側にあると、シンクやキッチン作業場から主電源ボタンまでの位置が遠くなる。よって、シンク又はキッチン作業場で作業中に主電源ボタンを操作したいときに移動距離が長くなり、使い勝手が悪いという問題があった。
【０００６】
本発明はこのような点を鑑みなされたもので、キッチンにおける加熱調理器の設置位置に因らず、主電源ボタンの操作性に優れた加熱調理器を提供することを目的とする。
【課題を解決するための手段】
【０００７】
本発明に係る加熱調理器は、調理容器を載置するトッププレートと、トッププレートを上面に有する本体と、本体の内部に収容された複数の加熱源と、トッププレートにおいて複数の加熱源と対向する複数の加熱部と、本体の上面に設けられ、主電源のオン又はオフを操作する主電源ボタンとを備え、主電源ボタンは、複数の加熱部のうち前後方向で最前に位置する加熱部よりも前方で、且つ、複数の加熱部のうち左右方向の両端に位置する各加熱部の各々の左右方向の中心線の間に配置されているものである。
【発明の効果】
【０００８】
本発明によれば、複数の加熱部のうち前後方向で最前に位置する加熱部よりも前方で、且つ、複数の加熱部のうち左右方向の両端に位置する各加熱部の各々の左右方向の中心線間の領域に主電源ボタンを配置したので、キッチンにおける加熱調理器の設置位置に因らず、主電源ボタンの操作性を向上できる。
【図面の簡単な説明】
【０００９】
【図１】本発明の実施の形態１に係る加熱調理器１００を示す斜視図である。
【図２】本発明の実施の形態１に係る加熱調理器１００が組み込まれたキッチン２００の斜視図である。
【図３】本発明の実施の形態１に係る加熱調理器１００の平面図である。
【図４】本発明の実施の形態１に係る加熱調理器１００の操作表示部６の一部拡大図である。
【図５】本発明の実施の形態１に係る加熱調理器１００が組み込まれたキッチン２００の平面図である。
【図６】本発明の実施の形態１に係る加熱調理器１００が組み込まれた他のキッチンの平面図である。
【図７】比較例として操作表示部の右端に主電源ボタン８０を設けた従来構成を示す図である。
【図８】本発明の実施の形態１に係る加熱調理器１００の主電源ボタン６１の配置位置の説明図で、各加熱部５の加熱能力が異なる場合を示す図である。
【図９】本発明の実施の形態１に係る加熱調理器１００の主電源ボタン６１の配置可能領域Ｓの説明図で、加熱部５が３つの場合を示す図である。
【図１０】本発明の実施の形態１に係る加熱調理器１００の主電源ボタン６１の配置位置の説明図で、境界線３１に基づく主電源ボタン６１の配置位置の説明図である。
【図１１】本発明の実施の形態１に係る加熱調理器１００の主電源ボタン６１の配置可能領域Ｓの説明図で、境界線３１に基づく主電源ボタン６１の配置位置の説明図である。
【発明を実施するための形態】
【００１０】
以下に、本発明に係る加熱調理器の実施の形態について説明する。なお、図面の形態は一例であり、本発明を限定するものではない。また、各図において同一の符号を付したものは、同一の又はこれに相当するものであり、これは明細書の全文において共通している。また、以下の説明で用いる「上」「下」「左」「右」「前」「後」「手前」「奥」は、特に断らない限り、加熱調理器を正面側から見た場合の方向を意味している。
【００１１】
実施の形態１．
図１は、本発明の実施の形態１に係る加熱調理器１００を示す斜視図である。図２は、本発明の実施の形態１に係る加熱調理器１００が組み込まれたキッチン２００の斜視図である。
図１に示すように、加熱調理器１００は、本体１と、本体１の上部の上枠２とを備えている。上枠２は、本体１に組み付けられている。上枠２の上面の開口には鍋等の調理容器が載置されるトッププレート３が嵌め込まれている。
【００１２】
本体１内部でトッププレート３の下方には、誘導加熱コイル４が左右並列に２つ収容されている。誘導加熱コイル４は、巻線が環状に巻き回されて構成され、トッププレート３に載置された調理容器を誘導加熱する。誘導加熱コイル４が本発明の加熱源に相当する。本体１には誘導加熱コイル４の他、ラジエントヒーターが設けられていてもよく、この場合、ラジエントヒーターも本発明の加熱源に含まれる。
【００１３】
トッププレート３は、耐熱性ガラスあるいはセラミック等の非金属材料で構成されており、上枠２の開口部の形状に合わせて長方形又は正方形に形成されている。耐熱性ガラスのガラス素材には、結晶化ガラス、非結晶化ガラス、強化ガラス等がある。トッププレート３の上面には、円環状の表示ライン５０が施されている。表示ライン５０は、誘導加熱コイル４と対向する、トッププレート３の加熱部５の加熱領域を示すものである。表示ライン５０の大きさは、対応の誘導加熱コイル４の加熱能力を示しており、大きければ加熱能力が高く、小さければ加熱能力が低い。ここでは、左右同じ加熱能力としているが、異なっていても良い。また、ここでは加熱部５が２つの場合を示したが、加熱部５の数は２つに限定されず、３つ以上でも良い。
【００１４】
上枠２においてトッププレート３の手前側には、使用者からの加熱調理に関する操作入力を受け付けると共に、使用者に加熱調理に関する情報を表示する操作表示部６が設けられている。操作表示部６は本体１内に配置された制御装置（図示せず）と接続され、相互に指令をやりとりして、操作表示部６上の操作入力に応じた制御、操作表示部６の表示に係る制御を行う。操作表示部６は、各誘導加熱コイル４の各々に対応して設けられた操作部６０と、加熱調理器１００の主電源のオン又はオフを操作する主電源ボタン６１とを有している。操作表示部６の詳細については後述する。
【００１５】
上枠２においてトッププレート３の奥側には吸気部７Ａと排気部７Ｂとが形成されている。そして、本体１内に設けられたファン（図示せず）により吸気部７Ａから外部の空気を吸気し、吸気した空気により制御装置（図示せず）及び誘導加熱コイル４等を冷却した後、排気部７Ｂから外部に排気されるようになっている。
【００１６】
以上のように構成された加熱調理器１００は、図２に示すようにシンク２０１までのワークトップが繋がったシステムキッチン等のキッチン２００に組み込まれる。このキッチン２００では、加熱調理器１００の右側にキッチン作業場２０２、更にその右側にシンク２０１が設けられている。
【００１７】
図３は、本発明の実施の形態１に係る加熱調理器１００の平面図である。図４は、本発明の実施の形態１に係る加熱調理器１００の操作表示部６の一部拡大図である。
操作部６０は、対応の誘導加熱コイル４の電源をオン又はオフする入切ボタン６０ａと、火力を上げる火力上昇ボタン６０ｂと、火力を下げる火力下降ボタン６０ｃとを備えている。操作部６０には更に、現在の火力を表示する火力表示部６０ｄと、設定温度を表示する設定温度表示部６０ｅとを備えている。
【００１８】
操作部６０は、対応の加熱部５の左右方向の中心線Ｌ１が操作部６０の幅内、つまり図３において左下向きのハッチングで示した領域内、を通過するように、左右方向の位置が調整されている。ここでは特に操作部６０の幅内のうち入切ボタン６０ａの幅内、つまり図３においてクロスハッチングで示した領域内、を加熱部５の中心線Ｌ１が通過するように操作部６０の左右方向の位置が調整されている。これにより、操作部６０又は入切ボタン６０ａの後方延長上に加熱部５が位置することになる。よって、操作部６０又は入切ボタン６０ａと加熱部５との対応関係が明確となるため、視覚障害者であっても加熱部５の場所を把握しやすい構成となっている。つまり、操作部６０の位置を手で触れて特定し、その位置から後方延長上に加熱部５があることを特定できる。なお、ここでは左側の操作部６０で説明したが、右側の操作部６０も同様である。
【００１９】
また、操作表示部６において主電源ボタン６１の奥側にはトッププレート３が高温であることを報知する高温報知表示部６２が配置されている。トッププレート３には印刷によって「高温注意」と記載されており、トッププレート３が高温の場合に、「高温注意」の印刷部分の下方に設けられた光源（図示せず）が点灯して「高温注意」の文字が浮かび上がるようになっている。高温報知表示部６２の位置は、ここでは主電源ボタン６１の後方としたが、主電源ボタン６１の前方、右側又は左側等、主電源ボタン６１の周囲であればよい。
【００２０】
なお、ここでは操作表示部６における操作入力が、ボタンを押すタイプの操作入力としているが、静電容量を検知して操作する静電スイッチタイプの操作入力を行う構成としてもよい。
【００２１】
図５は、本発明の実施の形態１に係る加熱調理器１００が組み込まれたキッチン２００の平面図である。図６は、本発明の実施の形態１に係る加熱調理器１００が組み込まれた他のキッチンの平面図である。図７は、比較例として操作表示部の右端に主電源ボタン８０を設けた従来構成を示す図である。
図５は加熱調理器１００の右側にシンク２０１があるキッチン２００を示しており、図６は加熱調理器１００の左側にシンク２０１があるキッチン２００を示している。
【００２２】
本実施の形態１は、図５及び図６に示すように加熱調理器１００がキッチン作業場２０２及びシンク２０１に対して右側あるいは左側のどちらに設置されても、主電源ボタン６１の操作を容易にできる、主電源ボタン６１の配置位置を特徴としている。以下、主電源ボタン６１の配置位置について説明する。
【００２３】
主電源ボタン６１の配置位置は、図３において四角で囲った配置可能領域Ｓ内とする。配置可能領域Ｓは、加熱部５の加熱領域を示す表示ライン５０よりも前方で、且つ加熱部５の左右方向の各中心線Ｌ１同士の間である。なお、図３では加熱部５が２つで、各加熱部５の前後方向の中心線Ｌ２が一致している場合を示しているが、本発明は、加熱部５の数は２つに限定されず、また、各加熱部５の前後方向の中心線Ｌ２が一致していない場合（後述の図８、図９参照）にも適用できるものである。よって、この点も踏まえて、配置可能領域Ｓを説明すると、複数の加熱部５のうち前後方向で最前に位置する加熱部５の加熱領域よりも前方で、且つ、複数の加熱部５のうち左右方向の両端に位置する加熱部５の左右方向の中心線間の領域、ということになる。
【００２４】
図７に示すように主電源ボタン６１を操作表示部６の右端に設けた場合、シンク２０１が左側にある構成の場合、主電源ボタン６１を操作したいときに移動距離が長くなり、使い勝手が悪い。これに対し、配置可能領域Ｓ内に主電源ボタン６１を配置することで、図５及び図６のどちらのタイプのキッチン２００においても、主電源ボタン６１を操作しやすい。
【００２５】
次に、図３に示したように加熱部５を左右に２つ有し、各加熱部５の前後方向の中心線Ｌ２が一致している構成における、配置可能領域Ｓ内の主電源ボタン６１の具体的な配置例について説明する。
【００２６】
図３に示す主電源ボタン６１は、以下の全ての条件を満たす位置に配置されている。
（１）各加熱部５の各々の中心Ｏからの距離が同じ位置。
（２）本体１の左右方向の中心部。
（３）各操作部６０の間の領域の左右方向の中心部。
【００２７】
主電源ボタン６１を、上記（１）〜（３）を満たす位置に配置することで、主電源ボタン６１の場所を把握しやすく、また、利き手に関係無く、どちらの手でも操作しやすい。また、上記（３）の配置位置とすることで、主電源ボタン６１を入れてから加熱を指示する加熱操作までの動作が各加熱部５それぞれについて左右対称となり、直感的に操作しやすい。また、主電源ボタン６１の場所を把握しやすい。
【００２８】
また、特に主電源ボタン６１を、上記（２）〜（３）の配置位置とすることで、視覚障害者であっても、主電源ボタン６１を入れてから加熱までの操作がしやすい。視覚障害者は、主電源ボタン６１を探す場合、まずキッチン２００全体において加熱調理器１００の本体１の位置を特定し、それから主電源ボタン６１を探す。本体１の位置は、キッチン２００の上面から突出している上枠２を探すことで特定できる。
【００２９】
そして、主電源ボタン６１が上記（２）の位置にあることを予め知っていることで、上枠２の左右端辺で本体１の左右方向の中心を特定できるため、主電源ボタン６１の位置の特定が容易である。また、主電源ボタン６１が上記（３）の位置にあることを予め知っていることで、視覚障害者であっても操作部６０の位置を手で触れて特定し、操作部６０の位置を元に、主電源ボタン６１の位置を特定できる。
【００３０】
また、主電源ボタン６１を（３）の位置に配置することで、主電源ボタン６１の位置を基準として右側と左側とにそれぞれ操作部６０があることが分かる。このため、視覚障害者であっても主電源を入れてから加熱までの操作がしやすい。なお、ここでは、主電源ボタン６１を各操作部６０間の領域の左右方向の中心部に配置するとしたが、中心部でなくとも、主電源ボタン６１を各操作部６０間であれば、同様の効果を得ることができる。
【００３１】
また、上記では加熱部５が２つの場合を例に説明したが、本発明において加熱部５の数は上述したように３つ以上でも良い。そして、３つ以上の複数の加熱部５のうち、少なくとも２つの加熱部５との関係で主電源ボタン６１が前記（１）の位置に主電源ボタン６１を配置した構成も本発明に含まれる。また、操作部６０は加熱部５と同数あるため、同様に少なくとも２つの操作部６０との関係で前記（３）の位置に主電源ボタン６１を配置した構成も本発明に含まれる。例えば加熱部５が横並びに３つあり、そのうちの左２つが火力の大きい主加熱部、右１つが火力の小さい副加熱部である構成において、左２つの主加熱部との関係で主電源ボタン６１の位置を設定する場合や、左２つの操作部との関係で主電源ボタン６１の位置を設定する等が対応する。
【００３２】
また、ここでは、各加熱部５の加熱能力が同じ場合を説明したが、次の図８のように加熱能力が異なっていてもよい。
【００３３】
図８は、本発明の実施の形態１に係る加熱調理器１００の主電源ボタン６１の配置位置の説明図で、各加熱部５の加熱能力が異なる場合を示す図である。
ここでは、左側の加熱部５ａが右側の加熱部５ｂの加熱能力が大きく、左側の表示ライン５０ａが右側の表示ライン５０ｂよりも大きく記載されている。また、加熱部５ａと加熱部５ｂとが横並びに整列しておらず、つまり加熱部５ａの前後方向の中心線Ｌ２ａと加熱部５ｂの前後方向の中心線Ｌ２ｂとが一致せずにズレており、加熱部５ｂの中心線Ｌ２ｂの方が前方に位置している。
【００３４】
この構成においても、配置可能領域Ｓ内に主電源ボタン６１を配置することで、主電源ボタン６１を操作しやすい。図８の構成において配置可能領域Ｓは、各加熱部５のうち前後方向で最前に位置する加熱部５ａの加熱領域よりも前方で、且つ、各加熱部５の各々の中心線Ｌ１ａ、Ｌ１ｂの間である。そして、配置可能領域Ｓ内であって、更に上記（１）〜（３）の一部又は全部を満たす配置とすることで、上述したように、より操作性を向上できる。
【００３５】
ここで、加熱部５の数に関わらず、操作性を向上できる主電源ボタン６１の配置位置について改めて整理する。
【００３６】
図９は、本発明の実施の形態１に係る加熱調理器１００の主電源ボタン６１の配置可能領域Ｓの説明図で、加熱部５が３つの場合を示す図である。
ここでは、３つの加熱部５を備えており、以下、必要に応じて左側から順に加熱部５ａ、加熱部５ｂ、加熱部５ｃとして区別する。そして、加熱部５ａ及び加熱部５ｂの加熱能力は同じで、加熱部５ｃの加熱能力は加熱部５ａ及び加熱部５ｂよりも低い。また、加熱部５ａ及び加熱部５ｂの前後方向の配置位置は同じであるが、加熱部５ｃの前後方向の中心線Ｌ２ｃは、加熱部５ａ及び加熱部５ｂの前後方向の中心線Ｌ２ａよりも前方にある構成となっている。
【００３７】
このような構成において主電源ボタン６１の配置可能領域Ｓは、図９において四角で囲った領域である。そして、主電源ボタン６１は配置可能領域Ｓ内に配置すればよいが、この配置可能領域Ｓ内のうち、更に好ましい配置位置について検討する。
【００３８】
図１０は、本発明の実施の形態１に係る加熱調理器１００の主電源ボタン６１の配置位置の説明図で、境界線３１に基づく主電源ボタン６１の配置位置の説明図である。
加熱部５で調理容器を加熱中の周囲温度は、加熱部５から離れるに連れて下がる分布となる。図１０において表示ライン５０と同心の各同心円３１は、例えば最大火力で加熱を行った場合に安全な温度まで下がる位置を示している。安全な温度とは、例えば熱いと感じない程度の温度でもよいし、一般的な室温である２７℃でもよく、任意に設定可能である。同心円３１で囲まれた領域は、言い換えれば、加熱部５ａ、５ｂの加熱による熱影響が及ぶ範囲であり、同心円３１上の位置は熱影響が及ばなくなり安全が確保される境界位置と言える。よって、以下では同心円３１を境界線３１という。
【００３９】
そして、主電源ボタン６１を、配置可能領域Ｓ内の領域であって、且つ各加熱部５それぞれの境界線３１が交差する位置に設けている。この位置は、いわば各加熱部５の両方で加熱中であっても、調理容器の熱の影響が及ばない安全な位置である。よって、この位置に主電源ボタン６１を配置することで、安全に主電源ボタン６１を操作できる。なお、ここでは、各境界線３１が交差する位置に主電源ボタン６１を設けたが、各境界線３１で囲まれる領域を一つの集合領域として見たときに、この集合領域の外周線３２（図１０の点線）上又は外周線３２よりも外側の位置であればよい。
【００４０】
図１０では各加熱部５の加熱能力が同じ場合の境界線３１に基づく主電源ボタン６１の配置位置について説明したが、各加熱部５の加熱能力が異なっている場合も同様に適用できる。以下、図１１を用いて簡単に説明する。
【００４１】
図１１は、本発明の実施の形態１に係る加熱調理器１００の主電源ボタン６１の配置可能領域Ｓの説明図で、境界線３１に基づく主電源ボタン６１の配置位置の説明図である。
図１１に示すように左側の加熱部５ａの方が右側の加熱部５ｂに比べて加熱能力が高い。このため、境界線３１ａの方が境界線３１ｂよりも大きくなっている。そして、この場合も、図１０と同様に、配置可能領域Ｓ内の領域であって、且つ境界線３１ａと境界線３１ｂとが交差する箇所に主電源ボタン６１を設けている。この場合も同様の効果を得ることができる。なお、各加熱部５の各々の境界線３１で囲まれる領域を一つの集合領域として見たときに、この集合領域の外周線３２（図１１の点線）上又は外周線３２よりも外側の位置であればよい点は図１０と同様である。
【００４２】
以上説明したように、本実施の形態１によれば、配置可能領域Ｓ内に主電源ボタン６１を配置することで、キッチン２００における加熱調理器１００の設置位置に因らず、主電源ボタン６１を操作しやすい。また、利き手に関係無くどちらの手でも操作しやすい。
【００４３】
また、配置可能領域Ｓ内であって、且つ各加熱部５の各々の境界線３１で囲まれる領域を一つの集合領域として見たときに、この集合領域の外周線３２上又は外周線３２よりも外側に主電源ボタン６１を配置することで、各加熱部５で加熱中であっても安全に主電源ボタン６１を操作できる。
【００４４】
また、本体１の左右方向の中心部に主電源ボタン６１を設けることで、視覚障害者であっても、主電源ボタン６１の位置を把握しやすい。
【００４５】
また、２つの加熱部５の各々の中心Ｏからの距離が同じ位置に主電源ボタン６１を配置することで、主電源ボタン６１が何れかの加熱部５に近い位置ではないので、各加熱部５で加熱中であっても操作することに不安を覚えることがなく、安全に主電源ボタン６１を操作できる。
【００４６】
また、２つの操作部６０を加熱部５の手前側に左右方向に離間して配置し、各操作部６０間に主電源ボタン６１を配置することで、視覚障害者であっても、主電源ボタン６１の位置を把握しやすい。
【００４７】
また、２つの操作部６０間の領域の左右方向の中心部に主電源ボタン６１を配置することで、主電源ボタン６１を入れてから加熱を指示する加熱操作までの動作が、左右の加熱部５のそれぞれにおいて左右対称となり、直感的に操作しやすい。
【００４８】
また、加熱部５の左右方向の中心線Ｌ１が操作部６０の幅内を通過するか、又は入切ボタン６０ａの幅内を通過するように操作部６０の左右方向の位置を調整した。これにより、操作部６０又は入切ボタン６０ａの後方延長上に加熱部５が位置することになり、視覚障害者であっても加熱部５の場所を把握しやすい。
【００４９】
また、高温報知表示部６２を主電源ボタン６１の周囲に設けたので、主電源ボタン６１を操作しようとする使用者に対し、トッププレート３が高温であることを確実に報知でき、安全面で有効である。
【００５０】
また、加熱部５の個数や配置位置は任意であることは上述の通りであるが、図示していない他の構成例として、左右２つの加熱部５の後方で左右２つの加熱部の間に３つ目の加熱部５を設けた構成としてもよい。この構成においても、本発明の効果が成り立つ。
【００５１】
また、複数の加熱部５をマトリックス状に配置した構成であっても本発明の効果は成り立つ。
【００５２】
主電源ボタン６１の配置位置は、上記で特定した位置を適宜組み合わせて設定してもよい。
【符号の説明】
【００５３】
１  本体、２  上枠、３  トッププレート、４  誘導加熱コイル、５  加熱部、５ａ  加熱部、５ｂ  加熱部、５ｃ  加熱部、６  操作表示部、７Ａ  吸気部、７Ｂ  排気部、３１  境界線（同心円）、３１ａ  境界線、３１ｂ  境界線、３２  外周線、５０  表示ライン、５０ａ  表示ライン、５０ｂ  表示ライン、６０  操作部、６０ａ  入切ボタン、６０ｂ  火力上昇ボタン、６０ｃ  火力下降ボタン、６０ｄ  火力表示部、６０ｅ  設定温度表示部、６１  主電源ボタン、６２  高温報知表示部、８０  主電源ボタン、１００  加熱調理器、２００  キッチン、２０１  シンク、２０２  キッチン作業場、Ｌ１  中心線、Ｌ１ａ  中心線、Ｌ１ｂ  中心線、Ｌ２ａ  中心線、Ｌ２ｂ  中心線、Ｌ２ｃ  中心線、Ｏ  中心、Ｓ  配置可能領域。
【図１】
2018017435.tif 000003
【図２】
2018017435.tif 000004
【図３】
2018017435.tif 000005
【図４】
2018017435.tif 000006
【図５】
2018017435.tif 000007
【図６】
2018017435.tif 000008
【図７】
2018017435.tif 000009
【図８】
2018017435.tif 000010
【図９】
2018017435.tif 000011
【図１０】
2018017435.tif 000012
【図１１】
2018017435.tif 000013